(57)【要約】【課題】  ユーザによる試聴曲購入の促進を図る。【解決手段】  ユーザの嗜好に合ったユーザ嗜好情報か記憶された内部記憶媒体２５からユーザ嗜好情報を取得し（Ｓ７１２）、取得したユーザ嗜好情報に基づいて内部記憶媒体２５に記憶された試聴曲からユーザの嗜好に合った試聴曲を含む番組を生成し（Ｓ７３０）、この番組に従ってユーザの嗜好に合った試聴曲を含むコンテンツを提供する（Ｓ７３２）。【選択図】        図９
2007080386.tif 000002
【特許請求の範囲】
【請求項１】
試聴制限が設けられた試聴曲を記憶するとともにユーザの嗜好に合ったユーザ嗜好情報を記憶する記憶手段と、
前記ユーザ嗜好情報に基づいて前記記憶手段に記憶された前記試聴曲からユーザの嗜好に合った試聴曲を含む番組を生成する番組生成手段と、
前記番組生成手段によって生成された前記番組に従って前記試聴曲を含むコンテンツを提供する番組提供手段と、を備えたことを特徴とする車載情報提供装置。
【請求項２】
前記番組生成手段は、前記記憶手段に記憶された前記試聴曲のみを含む番組を生成することを特徴とする請求項１に記載の車載情報提供装置。
【請求項３】
前記番組生成手段は、前記記憶手段に記憶された前記試聴曲以外のコンテンツの合間に前記試聴曲を織り交ぜて前記番組を生成することを特徴とする請求項１に記載の車載情報提供装置。
【請求項４】
前記記憶手段から試聴曲を検索する検索手段と、
前記検索手段によって検索された試聴曲の過去の試聴回数が最小か否かを判定する第１の判定手段と、を備え、
前記番組生成手段は、前記第１の判定手段によって前記過去の試聴回数が最小であると判定された試聴曲を前記番組に含ませることを特徴とする請求項１ないし３のいずれか１つに記載の車載情報提供装置。
【請求項５】
前記検索手段によって検索された試聴曲の過去の試聴回数が前記試聴制限の回数から１を差し引いた回数未満か否かを判定する第２の判定手段と、を備え、
前記番組生成手段は、前記第２の判定手段によって前記過去の試聴回数が前記試聴回数の制限数から１を差し引いた回数未満であると判定された試聴曲を前記番組に含ませることを特徴とする請求項４に記載の車載情報提供装置。
【請求項６】
再生した試聴曲の試聴履歴を記憶する試聴履歴記憶手段と、
前記試聴履歴記憶手段に記憶された前記試聴曲の試聴履歴に基づいて、前記試聴曲の試聴履歴を表示する試聴履歴表示手段と、を備えたことを特徴とする車載情報提供装置。
【請求項７】
前記試聴履歴表示手段によって表示された前記試聴曲の試聴履歴の中からユーザの操作に応じて特定された試聴曲の再生指示を受け付ける試聴曲再生指示手段を備えたことを特徴とする請求項６に記載の車載情報提供装置。
【請求項８】
前記試聴履歴表示手段によって表示された前記試聴曲の試聴履歴の中からユーザの操作に応じて特定された試聴曲の購入指示を受け付ける試聴購入指示手段を備えたことを特徴とする請求項６または７に記載の車載情報提供装置。
【発明の詳細な説明】
【技術分野】
【０００１】
本発明は、車両に搭載され各種情報を提供する車載情報提供装置に関する。
【背景技術】
【０００２】
この種の装置としては、ＦＭラジオ、ＡＭラジオ、テレビ、ＣＤドライブ、ＤＶＤドライブ、ＭＤドライブ、ＨＤＤオーディオ、携帯オーディオ端末等の各情報源から所望の音楽や番組を選択して好みの音楽や番組を楽しむことができるナビゲーション装置がある。
【０００３】
また、このようなナビゲーション装置には、製品購入時に既にＨＤＤ（ハードディスクドライブ）のような大容量記憶媒体に数万タイトルの楽曲が記憶され、購入操作によってネットワークを介して接続されたセンタからライセンスキーを取得することにより、その楽曲を購入して何度でも聴くことができるように構成されたものがある。このナビゲーション装置は、楽曲の購入前に、予め定められた回数（例えば、３回）まで楽曲を無料で試聴できるようになっている。
【発明の開示】
【発明が解決しようとする課題】
【０００４】
しかし、上記したナビゲーション装置は、大量の楽曲の中からユーザの嗜好にあった楽曲を１曲ずつ選択して視聴する仕組みとなっているため、操作に手間がかかり、数多くの試聴曲を気軽に試聴することが困難である。このため、ユーザによる試聴曲購入の阻害となっている。
【０００５】
本発明は上記点に鑑みたもので、ユーザによる試聴曲購入の促進を図ることを第１の目的とする。
【０００６】
また、ユーザは、試聴曲を試聴した場合に、試聴した楽曲をすぐに購入するとは限らない。このため、例えば、ユーザが後日、その曲を購入したいと思っても、前に試聴した楽曲を簡単に表示させることができないので、その楽曲を最初から探し出す操作が必要となり使い勝手がよくないといった問題がある。
【０００７】
本発明は上記問題に鑑みたもので、過去に試聴した試聴曲を容易に探し出せるようにすることを第２の目的とする。
【課題を解決するための手段】
【０００８】
上記目的を達成するため、本発明では、ユーザ嗜好情報に基づいて記憶手段に記憶された試聴曲からユーザの嗜好に合った試聴曲を含む番組を生成する番組生成手段と、番組生成手段によって生成された番組に従って試聴曲を含むコンテンツを提供する番組提供手段と、を備えたことを特徴としている。
【０００９】
このように、番組生成手段によって、ユーザの嗜好に合ったユーザ嗜好情報に基づいて記憶手段に記憶された試聴曲からユーザの嗜好に合った試聴曲を含む番組を生成され、この番組に従って試聴曲を含むコンテンツが提供されるので、ユーザは従来のように大量の試聴曲の中からユーザが試聴したい試聴曲を選択することなく試聴曲を気軽に試聴することができ、ユーザによる試聴曲購入の促進を図ることができる。
【００１０】
また、本発明は、記憶手段から試聴曲を検索し、検索された試聴曲の過去の試聴回数が最小か否かを判定し、過去の試聴回数が最小であると判定された試聴曲を番組に含ませることを第２の特徴としている。
【００１１】
このように、過去の試聴回数が最小であると判定された試聴曲が番組に含まれるので、同じ試聴曲ばかりを提供するといったことをなくし、より多くの試聴曲を提供することができる。
【００１２】
また、本発明は、検索手段によって検索された試聴曲の過去の試聴回数が試聴制限の回数から１を差し引いた回数未満か否かを判定し、過去の試聴回数が試聴回数の制限数から１を差し引いた回数未満であると判定された試聴曲を番組に含ませることを第３の特徴としている。
【００１３】
このように、過去の試聴回数が試聴回数の制限数から１を差し引いた回数未満であると判定された試聴曲を番組に含ませるので、生成した番組に従って試聴曲を再生しても、あと１回はその試聴曲の試聴が可能であり、後でユーザが再試聴したいときに再試聴できなくなってしまうといったことをなくすことができる。
【００１４】
また、本発明は、過去に再生した試聴曲が記憶された試聴履歴に基づいて、試聴曲の試聴履歴を表示する試聴履歴表示手段を備えたことを第４の特徴としている。
【００１５】
このように、過去に再生した試聴曲が記憶された試聴履歴を表示するので、従来のように過去に試聴した試聴曲を最初から探し出す操作を行うことなく、過去の試聴した試聴曲を容易に探し出すことができる。
【００１６】
また、本発明は、試聴曲の試聴履歴の中からユーザの操作に応じて特定された試聴曲の再生指示を受け付ける試聴曲再生指示手段を備えたことを第５の特徴としている。
【００１７】
このように、試聴曲の試聴履歴の中からユーザの操作に応じて特定された試聴曲の再生指示を受け付ける試聴曲再生指示手段を備えたので、ユーザは、この試聴曲再生指示手段を操作することにより容易に試聴曲の再生指示を行うことができる。
【００１８】
また、本発明は、試聴曲の試聴履歴の中からユーザの操作に応じて特定された試聴曲の購入指示を受け付ける試聴購入指示手段を備えたことを６の特徴としている。
【００１９】
このように、試聴曲の試聴履歴の中からユーザの操作に応じて特定された試聴曲の購入指示を受け付ける試聴購入指示手段を備えたので、ユーザは、この試聴購入指示手段を操作することにより容易に試聴曲の購入指示を行うことができる。
【発明を実施するための最良の形態】
【００２０】
本発明の一実施形態に係る車載情報提供装置の全体構成を図１に示す。車載情報提供装置は、ナビゲーション装置１を用いて構成されている。ナビゲーション装置１は、位置検出部１１、操作スイッチ群１７、ＴＶチューナ１８、ＦＭ・ＡＭチューナ１９、ＣＤドライブ２０、ＤＶＤドライブ２１、ＭＤドライブ２２、外部オーディオインタフェース２３、制御回路２４、内部記憶媒体２５、表示部２６、音声出力部２７、外部情報入出力部２８およびリモコンセンサ２９を備えている。
【００２１】
位置検出器１１は、いずれも周知の地磁気センサ１２、ジャイロスコープ１３、距離センサ１４およびＧＰＳ受信機１５等のセンサを有しており、これらセンサの各々の性質に基づいた現在位置を特定するための情報を制御回路２４に出力する。
【００２２】
操作スイッチ群１７は、表示部２６の表示画面の周囲に設けられた複数のメカニカルスイッチ、表示部２６の表示画面に重ねて設けられたタッチパネル等の入力装置からなり、ユーザによるメカニカルスイッチの押下、タッチパネルのタッチに応じた信号を制御回路２４に出力する。
【００２３】
ＴＶチューナ１８は、制御回路２４からの制御信号に応じてＴＶ放送局からの電波を受信し、映像信号および音声信号を制御回路２４に出力する。
【００２４】
ＦＭ・ＡＭチューナ１９は、制御回路２４からの制御信号に応じてＦＭラジオまたはＡＭラジオ放送局からの電波を受信し、音声信号を制御回路２４に出力する。
【００２５】
ＣＤドライブ２０、ＤＶＤドライブ２１、ＭＤドライブ２２は、制御回路２４からの制御に基づいて、ＣＤ、ＤＶＤ、ＭＤ等のメディアに記憶された楽曲および音楽情報を読み出して制御回路２４に出力する。これらの各ドライブ２０〜２２は、ＣＤ、ＤＶＤ、ＭＤ等の各メディアの挿入を検知すると検知信号を制御回路２４へ出力するセンサを有している。
【００２６】
外部オーディオインタフェース２３は、携帯オーディオ端末（図示せず）とケーブルを介して接続するための接続端子を有し、この接続端子を介して携帯オーディオ端末と各種データの入出力を行う。
【００２７】
内部記憶媒体２５は、ＨＤＤ（ハードディスクドライブ）等の大容量不揮発性記憶媒体によって構成されている。この内部記憶媒体２５には、制御回路２４が実行するためのプログラム、地図表示のための地図データ、目的地、目的地までの走行ルート、目的地に到着するまでの予想走行時間、楽曲および音楽情報、ユーザ嗜好情報、行動パターン情報等の情報が記憶される。
【００２８】
表示部２６は、液晶等による表示画面を有し、制御回路２４から入力される映像信号に応じた映像を表示画面に表示させる。
【００２９】
音声出力部２７は、スピーカを有し、制御回路２４から入力される音声信号に応じた音声をスピーカから出力させる。
【００３０】
外部情報入出力部２８は、例えば、ＶＩＣＳなどのインフラネットワークやインターネットなどのネットワークから各種外部情報を取得し、ネットワークに接続された通信装置に対して情報を発信するためのものである。この外部情報入出力部２８を介して取得される外部情報としては、例えば、天気情報（天気予報、警報、注意報など）、交通情報（通行止め情報、渋滞情報）、音楽番組、ニュース、ライブ中継などがある。なお、インターネットなどのネットワークから取得する外部情報は、ストリーミング形式やダウンロード形式等、様々な形式で取得が可能となっている。
【００３１】
リモコンセンサ２９は、ユーザの操作に基づいて赤外線等による無線信号を送信するリモコン２９ａから受信した信号を制御回路２４へ出力する。
【００３２】
制御回路２４は、メモリ、ＣＰＵ等を備えたコンピュータによって構成され、内部記憶媒体２５に記憶されたプログラムに従って各種処理を行う。
【００３３】
本実施形態におけるナビゲーション装置１の内部記憶媒体２５には、製品出荷時に、数万タイトルの楽曲およびこれらの楽曲の音楽情報（アルバム名、トラック名、アーティスト名、ジャンル等）が記憶されている。
【００３４】
利用者は、内部記憶媒体２５に記憶された楽曲を予め定められた回数（例えば、３回）まで無料で試聴できるようになっており、試聴した楽曲が気に入った場合には、購入操作を行うことで楽曲を購入して何度でも聞くことが可能となる。
【００３５】
また、ナビゲーション装置１は、各ドライブ２０〜２２に挿入されたＣＤ、ＤＶＤ、ＭＤ等のメディアに記憶された楽曲を再生すると、再生した楽曲を自動的に内部記憶媒体２５にコピーする機能を備えている。この機能により、次回から、ＣＤ、ＤＶＤ、ＭＤ等のメディアの挿入操作を行うことなく、内部記憶媒体２５にコピーされた楽曲を選択操作して再生することができる。
【００３６】
また、本実施形態におけるナビゲーション装置１は、ユーザに係るユーザ基本情報をアンケート形式で入力するようになっている。ユーザ基本情報として入力される情報としては、例えば、ユーザの氏名、生年月日、性別、血液型、現住所、出身地、学歴、職種、役職、勤務地、休みの日（曜日）などのユーザ属性情報、ユーザの好みの色、好みの音、好みの匂い、好みの色、好みの音楽アーティスト、好みの音楽ジャンル、好みの書籍、好みの作家、好みの書籍ジャンル、好みのテレビ・ラジオ番組、１日の平均テレビ視聴時間、１日の平均ラジオ聴取時間、好みの食べ物、流行敏感度などのユーザ嗜好情報がある。
【００３７】
図２に示すように、内部記憶媒体２５には、スケジュールおよび走行履歴が含まれる行動パターン情報Ａとユーザの嗜好に合ったユーザ嗜好情報Ｂを記憶するユーザ情報記憶領域Ｃが設けられている。ユーザによってユーザ基本情報が入力されると、入力された情報によって初期テンプレートが生成され、ユーザ嗜好情報Ｂに記憶される。このテンプレートは、ユーザ毎に生成される。
【００３８】
本実施形態におけるナビゲーション装置１は、ユーザによる選曲操作、音楽購入操作、楽曲が記憶されたメディアの挿入操作等の各種操作を検知すると、ユーザの操作内容からユーザの嗜好に合った情報を取得して内部記憶媒体２５に記憶されたユーザ嗜好情報に追加記憶してユーザの嗜好を学習する学習機能を備えている。この学習機能によって学習したユーザの嗜好に合った番組を生成し、生成した番組に従ってユーザの嗜好に合った情報を提供するようになっている。
【００３９】
次に、図３を参照して、制御回路２４によるユーザ嗜好の学習機能について説明する。制御回路２４は、イグニッションスイッチを介してバッテリから電源が供給されると、位置検出部１１から入力される現在位置を特定するための情報に基づいて車両の現在位置を算出する現在位置算出処理等の処理を開始する。制御回路２４は、これらの各処理と並行して図３に示す処理を繰り返し行う。
【００４０】
まず、操作スイッチ群１７あるいはリモコンセンサ２９から入力される信号に基づいてユーザ操作検知を行う。具体的には、ＴＶチューナ１８、ＦＭ・ＡＭチューナ１９、ＣＤドライブ２０、ＤＶＤドライブ２１、ＭＤドライブ２２、外部オーディオインタフェース２３、内部記憶媒体２５、外部情報入出力部２８のいずれかに対するユーザの操作を検知する（Ｓ１００）。
【００４１】
ここで、ユーザの操作が検知されると、次に、操作情報を取得する（Ｓ１０２）。具体的には、ＴＶチューナ１８、ＦＭ・ＡＭチューナ１９、ＣＤドライブ２０、ＤＶＤドライブ２１、ＭＤドライブ２２、外部オーディオインタフェース２３、内部記憶媒体２５、外部情報入出力部２８に対する操作内容を示す操作情報を取得する。
【００４２】
次に、取得した操作情報に基づいて操作対象を判定する（Ｓ１０４）。具体的には、操作対象がＣＤドライブ２０、ＤＶＤドライブ２１、ＭＤドライブ２２、外部オーディオインタフェース２３に接続された携帯オーディオ端末、内部記憶媒体２５に対する楽曲再生に関するものであるか、外部情報入出力部２８に対するものであるか、ＴＶチューナ１８、ＦＭ・ＡＭチューナ１９に対するものであるかを判定する。
【００４３】
操作対象がＣＤドライブ２０、ＤＶＤドライブ２１、ＭＤドライブ２２、外部オーディオインタフェース２３に接続された携帯オーディオ端末および内部記憶媒体２５のいずれかに対するものであると判定された場合、次に、音楽情報を取得する（Ｓ１０６）。具体的には、ユーザによって選曲操作された楽曲の音楽情報（アルバム名、トラック名、アーティスト名、ジャンル等）を、選曲操作された楽曲が記憶されているメディアあるいは内部記憶媒体２５から取得する。
【００４４】
また、操作対象が外部情報入出力部２８に対するものであると判定された場合、次に、外部情報を取得する（Ｓ１０８）。具体的には、外部情報入出力部２８によって受信可能な外部情報（天気情報、交通情報、音楽番組、ニュース、ライブ中継等）の中からユーザの操作によって特定された外部情報を取得する。インターネットなどのネットワークから取得する外部情報としては、例えば、ユーザの操作によって特定されたインターネット上のウェブサイトのＵＲＬ（Ｕｎｉｖｅｒｓａｌ  Ｒｅｆｅｒｅｎｃｅ  Ｌｏｃａｔｏｒ）、ウェブサイトに含まれるテキストデータ等を取得する。
【００４５】
また、操作対象がＴＶチューナ１８とＦＭ・ＡＭチューナ１９のいずれかであると判定された場合、次に、テレビ・ラジオ番組情報を取得する（Ｓ１１０）。具体的には、ＴＶチューナ１８あるいはＦＭ・ＡＭチューナ１９によって受信可能な番組の中からユーザによって選択された番組情報（受信チャンネル、放送開始時刻、放送終了時刻等）を取得し、Ｓ１１２へ進む。
【００４６】
また、Ｓ１１４では、ユーザの操作スイッチ群１７あるいはリモコンセンサ２９から入力される信号に基づいて音楽購入検知を行う。具体的には、外部情報入出力部２８を介してネットワークに接続されたセンタから音楽を視聴するためのライセンスキーを取得する購入操作が行われたかに基づいて音楽の購入操作の検知を行う。
【００４７】
ここで、音楽購入の操作が検知されると、次に、購入操作された音楽情報を取得する（Ｓ１１６）。具体的には、購入操作に基づいて購入操作された楽曲の音楽情報（アルバム名、トラック名、アーティスト名、ジャンル等）を取得し、Ｓ１１２へ進む。
【００４８】
また、Ｓ１１８では、ユーザによってＣＤドライブ２０、ＤＶＤドライブ２１およびＭＤドライブ２２のいずれかへメディアが挿入されたときに、各ドライブ２０〜２２から出力されるメディア挿入の検知信号に基づいてユーザによるＣＤドライブ２０、ＤＶＤドライブ２１、ＭＤドライブ２２へのメディア挿入の検知を行う。
【００４９】
ここで、ユーザによるＣＤドライブ２０、ＤＶＤドライブ２１およびＭＤドライブ２２のいずれかへのメディア挿入が検知されると、次に、挿入されたメディアに記憶された楽曲の音楽情報（アルバム名、トラック名、アーティスト名、ジャンル等）を取得し（Ｓ１２０）、Ｓ１１２へ進む。
【００５０】
Ｓ１１２では、このようにＳ１０６、Ｓ１０８、Ｓ１１０、Ｓ１１６、Ｓ１２０において取得したユーザの嗜好に合った情報を内部記憶媒体２５に記憶されたユーザ嗜好情報に追加記憶してユーザの嗜好を学習する。すなわち、ユーザの選曲操作によって選曲された楽曲、ユーザの操作によって特定された外部情報（天気情報、交通情報、音楽番組、ニュース、ライブ中継等）、ユーザの操作によって選択されたテレビ・ラジオ番組、ユーザの購入操作によって購入された楽曲、ユーザのメディアの挿入操作によって挿入されたメディアに記憶された音楽情報をユーザの嗜好に合った音楽情報としてユーザ嗜好情報に追加記憶してユーザの嗜好を学習し、本処理を終了する。
【００５１】
このような学習機能によって、上記した内部記憶媒体２５に記憶された初期テンプレートは、図４に示すテンプレートの更新処理によって随時更新される。
【００５２】
まず、ユーザの操作によって入力されるユーザに係るユーザ基本情報を取得し（Ｓ１５０）、次に、取得したユーザ基本情報に基づいて初期テンプレートを生成する（Ｓ１５２）。
【００５３】
次に、ユーザの嗜好に合った情報を取得する（Ｓ１５４）。具体的には、図３のＳ１０６、Ｓ１０８、Ｓ１１０、Ｓ１１６、Ｓ１２０において取得した各種情報をユーザの嗜好に合った情報として取得する（Ｓ１５４）。
【００５４】
次に、取得したユーザの嗜好に合った情報をユーザ嗜好情報に追加記憶することによりテンプレートを更新し（Ｓ１５６）、Ｓ１５４へ戻る。このようにＳ１５４〜Ｓ１５６を繰り返し、テンプレートを随時更新する。
【００５５】
次に、図５を参照して、制御回路２４による番組生成処理について説明する。ユーザの操作に応じて表示画面にユーザ認証のための入力画面（例えば、名前とパスワードの入力画面）を表示させ、この表示画面に従ってユーザの操作により入力された情報に基づいてユーザ認証を行い、このユーザ認証によってユーザが認証されると、制御回路２４は図５に示す番組生成処理を開始する。
【００５６】
まず、車両周辺の状況を認識するためのシーン判定処理を行う（Ｓ２００）。図６に、シーン判定処理のフローチャートの一例を示す。
【００５７】
このシーン判定処理では、まず、日時情報を取得する（Ｓ２１０）。具体的には、内部カレンダを参照して年月日、時分秒、曜日を取得する。
【００５８】
次に、天気情報を取得する（Ｓ２１２）。具体的には、外部情報入出力部２８を介して天気情報を取得する。
【００５９】
次に、走行環境に関する情報を取得する（Ｓ２１４）。具体的には、外部情報入出力部２８を介して取得した交通情報（通行止め情報、渋滞情報）や、現在位置と地図データに基づいて走行道路の車線数等、走行環境に関する情報を取得する。
【００６０】
次に、走行情報を取得する（Ｓ２１６）。具体的には、ユーザの操作によって入力された目的地、目的地までの走行ルートが設定されている場合にはその走行ルート、目的地に到着するまでの予想走行時間等の走行情報を内部記憶媒体２５から取得する。
【００６１】
次に、ユーザ情報記憶領域Ｃに記憶された行動パターン情報Ａを取得する（Ｓ２１８）。具体的には、行動パターン情報Ａから、スケジュールと過去の走行履歴を取得する。
【００６２】
次に、シーン判定を行う（Ｓ２２０）。具体的には、取得した日時情報に基づいて平日であるか休日であるかを判定し（Ｓ２２１）、取得した天気情報に基づいて天気（晴れ、曇り、雨等）を判定し、走行環境情報に基づいて渋滞中であるか否かを判定し（Ｓ２２３）、取得した走行情報に基づいて目的地を判定し（Ｓ２２４）、取得した走行情報と現在位置に基づいて走行ルートが高速道路であるか否かを判定する（Ｓ２２５）。
【００６３】
次に、これらの判定Ｓ２２１〜Ｓ２２５によって、状況（シーン）が決定される（Ｓ２３０）。図６に示す例では、「晴れの日の平日通勤。通勤道は渋滞しており、現在高速道路を走行中。」といった状況（シーン）が決定される。
【００６４】
図５の説明に戻り、Ｓ３００では、内部記憶媒体２５からユーザ嗜好情報を取得する。このユーザ嗜好情報は、ユーザによる各種操作内容からユーザの嗜好に合った情報が反映されたものである。
【００６５】
次に、ユーザ嗜好情報とシーン判定に基づいてタイムテーブル（番組）を生成する（Ｓ４００）。具体的には、ベイジアン・ネットワーク・モデル等の確率ネットワーク・モデルを用いて、上述したようにユーザの操作内容に基づいて学習したユーザ嗜好情報とシーン判定処理によって決定した状況（シーン）からユーザの嗜好と状況（シーン）に適した情報を予測して、ＦＭラジオ、ＡＭラジオ、テレビ、ＣＤドライブ、ＤＶＤドライブ、ＭＤドライブ、携帯オーディオ端末、ＨＤＤオーディオ等の各情報源からユーザの嗜好に合った楽曲や番組を選択してタイムテーブルを作成する。なお、ベイジアン・ネットワーク・モデルを用いて各種情報にユーザの嗜好を反映させる技術は公知である（例えば、特開２００４−３５５０７５参照）。
【００６６】
図７に、ユーザ嗜好情報とシーン判定に基づいて生成されたタイムテーブルの一例を示す。図に示すように、定期的に通知される交通情報、ＨＤＤに記憶されたユーザの好みのアーティストの音楽（ＪＰＯＰ）、ヘッドラインニュース、ＨＤＤに記憶されたユーザの好みのジャンルの音楽（最新ＪＰＯＰ）、時報、定期的に通知される交通情報、予め登録された地点のピンポイント天気情報、ＨＤＤに記憶されたユーザの好みのジャンルの音楽（ロック）といった番組内容を含むタイムテーブルが生成されている。
【００６７】
次に、生成されたタイムテーブルに従って番組再生を行う（Ｓ４０２）。具体的には、生成されたタイムテーブルに従って、ＦＭラジオ、ＡＭラジオ、テレビ、ＣＤドライブ、ＤＶＤドライブ、ＭＤドライブ、ＨＤＤオーディオ等の各情報源から音楽や番組を取得して提供する。
【００６８】
次に、シーン変更があるか否かを判定する。具体的には、シーン判定処理において決定した状況（シーン）に変更があるか否かを判定する（Ｓ４０４）。
【００６９】
ここで、シーン変更があると判定された場合、Ｓ４０４の判定はＹＥＳとなり、Ｓ２００の処理へ戻る。また、シーン変更がないと判定された場合、Ｓ４０４の判定はＮＯとなり、ユーザ嗜好情報を取得して、前に取得したユーザ嗜好情報を比較して変更が有るか否かを判定する（Ｓ４０６）。
【００７０】
ここで、変化があると判定された場合、Ｓ４０６の判定はＹＥＳとなり、Ｓ２００の処理へ戻る。また、変化がないと判定された場合、Ｓ４０６の判定はＮＯとなり、次に、タイムテーブルに従って全ての番組内容の提供が終了したか否かに基づいて番組が終了したか否かを判定する（Ｓ４０８）。
【００７１】
ここで、全ての番組内容の提供が終了してない場合、Ｓ４０８の判定はＮＯとなり、Ｓ４０２の処理へ戻る。また、全ての番組内容の提供が終了した場合、Ｓ４１８の判定はＹＥＳとなり、Ｓ２００の処理へ戻る。
【００７２】
上記した構成によれば、ユーザによる操作内容からユーザの嗜好に合った情報を取得し、取得したユーザの嗜好に合った情報を内部記憶媒体２５に記憶されたユーザ嗜好情報に記憶してユーザの嗜好を学習するので、よりユーザの嗜好に合った情報を提供することができる。
【００７３】
また、本実施形態におけるナビゲーション装置１は、内部記憶媒体２５に記憶された楽曲の中から自動的に試聴曲を選曲して提供する機能を備えている。
【００７４】
本実施形態におけるナビゲーション装置１は、内部記憶媒体２５に記憶された楽曲あるいは各ドライブ２０〜２２に挿入されたＣＤ、ＤＶＤ、ＭＤ等のメディアに記憶された楽曲を再生する通常モードと、内部記憶媒体２５に記憶された試聴回数が制限された楽曲の中から自動的に試聴曲を選曲して再生する試聴モードの２つのモードを備えている。
【００７５】
図８（ａ）に、通常モードのコンテンツ再生時の表示画面の表示例を、図８（ｂ）に、試聴モードのコンテンツ再生時の表示画面の表示例を示す。
【００７６】
図８（ａ）に示す通常モードの表示画面の「試聴モード」がユーザによって選択されると、図８（ｂ）に示す試聴モードの表示画面に切り替わり、図８（ｂ）に示す試聴モードの表示画面の「通常モード」が選択されると、図８（ａ）に示す通常モードの表示画面に切り替わる。
【００７７】
また、図８（ａ）、（ｂ）に示した「コンテンツ設定」がユーザによって選択操作されると、図８（ｃ）に示すコンテンツ設定の表示画面に切り替わる。
【００７８】
このコンテンツ設定の表示画面では、通常モードのコンテンツ再生時にユーザの嗜好を反映させるか否かを設定する「嗜好反映」と、試聴モードのコンテンツ再生時にユーザの嗜好を反映させるか否かを設定する「嗜好反映（試聴）」と、コンテンツ再生時にシーン判定処理によって決定される状況（シーン）を反映させるか否かを設定する「シーン判定」と、試聴曲のみを次々に再生する番組を提供するか、再生中の曲と曲の間にＣＭ（コマーシャルメッセージ）のように試聴曲を織り交ぜて生成する番組を提供するかを選択する「試聴割込」の各設定画面が表示される。ユーザは、表示画面に従ってこれらの設定を行うようになっており、設定された内容は内部記憶媒体２５に記憶される。
【００７９】
なお、このコンテンツ設定の表示画面の「戻る」がユーザよって選択されると、コンテンツ設定の表示画面の前に表示されていた画面表示に切り替わる。
【００８０】
また、図８（ａ）、（ｂ）に示した表示画面の「番組切替」がユーザによって選択操作されると、図５に示した番組生成処理が開始され、新たなタイムテーブルが生成される。
【００８１】
また、図８（ａ）、（ｂ）に示した表示画面の「試聴履歴」がユーザによって選択操作されると、図８（ｄ）に示すような試聴履歴の表示画面が表示される。本実施形態におけるナビゲーション装置１では、「今日」、「昨日」、「一週間前」、「２週間前」といったように、試聴曲として再生した楽曲の一覧が、再生した時期毎に表示される。また、表示画面に表示すべき試聴曲の全てを一度に表示されない場合、スクロールバーが表示される。ユーザによるスクロールバーの操作により、試聴曲の表示を上限にスクロールさせることが可能となっている。また、この試聴履歴の表示画面には、ユーザの操作に応じて特定された試聴曲の再生指示を受け付けるための「試聴曲再生」と、ユーザの操作に応じて特定された試聴曲の購入指示を受け付けるための「試聴曲購入」の各操作スイッチも表示される。
【００８２】
次に、図９を参照して、制御回路２４による試聴曲を含めた番組生成処理について説明する。制御回路２４は、操作スイッチ群１７あるいはリモコンセンサ２９からユーザの操作に応じてコンテンツ再生を指示する信号が入力されると、図８（ａ）に示すようなコンテンツ再生の表示画面を表示させる。
【００８３】
そして、この表示画面に表示された「番組切替」がユーザにより選択操作されると、番組生成要求が入力されたことを検出し（Ｓ５００）、次に、Ｓ６００に示す試聴曲提供方法判定処理を行う。
【００８４】
図１０に、試聴曲提供方法判定処理のフローチャートを示す。この試聴曲提供方法判定処理では、まず、図８（ａ）に示した「試聴モード」がユーザによって選択操作されたか否かを判定する（Ｓ６０２）。
【００８５】
ここで、「試聴モード」がユーザによって選択操作された場合、Ｓ６０２の判定はＹＥＳとなり、次に、番組取得対象を試聴曲のみに設定する（Ｓ６０４）。具体的には、番組取得対象を試聴曲のみに設定するフラグをオンに設定し、Ｓ７００へ進む。なお、このフラグは通常オフに設定されている。
【００８６】
また、「試聴モード」がユーザによって選択操作されない場合、Ｓ６０２の判定はＮＯとなり、次に、試聴割込設定がオン（ＯＮ）であるか否かを判定する（Ｓ６０６）。具体的には、図８（ｃ）に示したコンテンツ設定の画面表示に従って設定された「試聴割込」の設定がオンであるか否かを判定する。
【００８７】
ここで、「試聴割込」の設定がオンであると判定された場合、Ｓ６０６の判定はＹＥＳとなり、Ｓ７００へ進む。なお、上記した番組取得対象を試聴曲のみに設定するフラグはオフに設定されたままとなる。
【００８８】
また、「試聴割込」の設定がオフであると判定された場合、Ｓ６０６の判定はＮＯとなり、番組生成処理（Ｓ６０８）へ進む。なお、この番組生成処理は、ユーザの操作によって選択された楽曲を順番に再生する通常モードのコンテンツ再生を行うための番組生成処理であり、以下、詳細については図示しないが、この番組生成処理によって生成された番組に従って各楽曲が再生される。
【００８９】
図９の説明に戻り、Ｓ７００では、試聴曲データ取得方法判定処理を行う。図１１に、試聴曲データ取得方法判定処理のフローチャートを示す。この試聴曲データ取得方法判定処理では、まず、嗜好反映（試聴）設定がオン（ＯＮ）であるか否かを判定する（Ｓ７０２）。具体的には、コンテンツ設定の画面表示に従って設定された「嗜好反映（試聴）」の設定がオンであるか否かを判定する。
【００９０】
ここで、「嗜好反映（試聴）」の設定がオフである場合、Ｓ７０２の判定はＮＯとなり、次に、試聴ＤＢ（データベース）から試聴曲を検索する（Ｓ７０４）。試聴曲の検索は、例えば、試聴ＤＢの登録順に検索してもよく、アーティスト名やアルバム名を五十音順に検索してもよい。なお、試聴ＤＢは、内部記憶媒体２５に記憶された楽曲の中で試聴曲として提供可能な音楽情報（アルバム名、トラック名、アーティスト名、ジャンル等）がデータベース化されたものである。
【００９１】
次に、検索された試聴曲のこれまでの試聴回数が最小か否かを判定する（Ｓ７０６）。制御回路２４は、試聴曲として再生した試聴曲名および試聴回数を試聴履歴として保存するようになっており、この試聴履歴に基づいてこれまでの試聴回数が最小か否かを判定する。例えば、試聴ＤＢにこれまでの試聴回数が０回と１回の試聴曲が存在する場合、検索された試聴曲のこれまでの試聴回数が０回（最小）か否かを判定する。また、試聴ＤＢにこれまでの試聴回数が１回と２回の試聴曲が存在する場合、検索された試聴曲のこれまでの試聴回数が１回（最小）か否かを判定する。
【００９２】
ここで、試聴回数が最小でない場合、Ｓ７０６の判定はＮＯとなり、Ｓ７０４の処理へ戻り、再度、試聴ＤＢ（データベース）から試聴曲を検索する。このように過去の試聴回数が少ない試聴曲を検索することで、同じ試聴曲ばかりを提供するといったことをなくし、より多くの試聴曲を提供することができる。
【００９３】
また、試聴回数が最小であると判定された場合、Ｓ７０４の判定はＹＥＳとなり、次に、試聴回数がＮ−１回未満か否かを判定する（Ｓ７０８）。ここで、Ｎは試聴制限回数である。試聴回数がＮ回に制限されている場合、過去の試聴回数がＮ−１回未満の試聴曲が試聴ＤＢから検索され、その試聴曲を自動的に再生してしまうと、後でユーザが再試聴したいときに試聴できなくなってしまうことが考えられる。例えば、試聴制限回数が３回に制限されており、過去の試聴回数が２回の試聴曲を自動的に再生してしまうと、後でユーザが再試聴したいときに試聴できなくなってしまうことが考えられる。このように後でユーザが再試聴できなくなってしまうといったことをなくすため、試聴回数がＮ−１回未満か否かを判定するステップを設けている。
【００９４】
ここで、試聴回数がＮ−１回未満でない場合、Ｓ７０８の判定はＮＯとなり、Ｓ７０４へ戻り、再度、試聴ＤＢから試聴曲を検索する。また、試聴回数がＮ−１回未満であると判定された場合、Ｓ７０８の判定はＹＥＳとなり、次に、試聴曲データを試聴ＤＢから取得する（Ｓ７１０）。例えば、試聴ＤＢに登録された順番で試聴曲データの音楽情報（アルバム名、トラック名、アーティスト名、ジャンル等）を取得する。
【００９５】
次に、取得した試聴曲データの数が、予め定められた試聴曲データ取得数Ｍ未満であるか否かを判定する（Ｓ７１１）。
【００９６】
取得した試聴曲データの数が、予め定められた試聴曲データ取得数Ｍ未満の場合、Ｓ７１１の判定はＹＥＳとなり、取得した試聴曲データの数が、予め定められた試聴曲データ取得数Ｍと等しくなるまで、Ｓ７０４〜Ｓ７１０の処理を繰り返す。そして、取得した試聴曲データの数が、予め定められた試聴曲データ取得数Ｍと等しくなると、Ｓ７１１の判定はＮＯとなり、Ｓ７３０へ進む。
【００９７】
また、「嗜好反映（試聴）」の設定がオンである場合、Ｓ７０２の判定はＹＥＳとなり、次に、内部記憶媒体２５からユーザ嗜好情報Ｂを取得する（Ｓ７１２）。
【００９８】
次に、Ｓ７０４に示した処理と同様に、試聴ＤＢ（データベース）から試聴曲を検索する（Ｓ７１４）。
【００９９】
次に、Ｓ７１４において検索された試聴曲がＳ７１２において取得したユーザ嗜好情報Ｂに適合しているか否かを判定する（Ｓ７１６）。例えば、検索された試聴曲がユーザ嗜好情報Ｂに記憶されたユーザの好みのジャンルと一致する場合、検索された試聴曲がユーザ嗜好情報Ｂに適合すると判定し、検索された試聴曲がユーザの好みのジャンルと異なる場合、検索された試聴曲がユーザ嗜好情報Ｂに適合しないと判定する。
【０１００】
ここで、検索された試聴曲がユーザ嗜好情報Ｂに適合していないと判定された場合、Ｓ７１６の判定はＮＯとなり、Ｓ７１４へ戻り、再度、試聴ＤＢから試聴曲を検索する。このようにしてユーザの嗜好に合った試聴曲が検索される。
【０１０１】
また、検索された試聴曲がユーザ嗜好情報Ｂに適合していると判定された場合、Ｓ７１６の判定と同様に試聴回数が最小か否かを判定し（Ｓ７１８）、試聴回数が最小であると判定された場合、Ｓ７０８の判定と同様に試聴回数がＮ−１回未満か否かを判定する（Ｓ７２０）。
【０１０２】
また、Ｓ７２０において試聴回数がＮ−１回未満であると判定（Ｓ７２０でＹＥＳと判定）された場合、次に、試聴曲データを取得する（Ｓ７２２）。具体的には、検索されたユーザの嗜好が反映された試聴曲の音楽情報（アルバム名、トラック名、アーティスト名、ジャンル等）を試聴ＤＢから取得する。
【０１０３】
次に、取得した試聴曲データの数が、予め定められた試聴曲データ取得数Ｍ未満であるか否かを判定する（Ｓ７２３）。
【０１０４】
取得した試聴曲データの数が、予め定められた試聴曲データ取得数Ｍ未満の場合、Ｓ７２３の判定はＹＥＳとなり、取得した試聴曲データの数が、予め定められた試聴曲データ取得数Ｍと等しくなるまで、Ｓ７１４〜Ｓ７２２の処理を繰り返す。そして、取得した試聴曲データの数が、予め定められた試聴曲データ取得数Ｍと等しくなると、Ｓ７２３の判定はＮＯとなり、Ｓ７３０へ進む。
【０１０５】
図９の説明に戻り、Ｓ７３０では、番組取得対象を試聴曲のみに設定するフラグの設定に基づいて番組生成を行う（Ｓ７３０）。具体的には、番組取得対象を試聴曲のみに設定するフラグがオンに設定されている場合には、試聴曲のみを次々に再生する番組を生成し、番組取得対象を試聴曲のみに設定するフラグがオフに設定されている場合には、再生中の曲と曲の間にＣＭ（コマーシャルメッセージ）のように試聴曲を織り交ぜて再生する番組を生成する。なお、番組を生成する際に、Ｓ７１０において試聴ＤＢの登録順に試聴曲データを取得している場合には、試聴曲を試聴ＤＢの登録順に並べて番組を生成し、Ｓ７２２において試聴ＤＢからユーザの嗜好が反映された試聴曲を取得している場合には、試聴ＤＢからユーザの嗜好が反映された試聴曲を取得した順番に並べて番組を生成する。
【０１０６】
次に、生成された番組に従って番組を提供する（Ｓ７３２）。具体的には、生成された番組に従って内部記憶媒体２５に記憶された試聴回数が制限された楽曲の中から自動的に試聴曲を選曲して試聴曲を再生する。
【０１０７】
次に、試聴曲として再生した試聴曲名および試聴回数を試聴履歴として保存し（Ｓ７３４）、本処理を終了する。
【０１０８】
上記した構成によれば、ユーザ嗜好情報に基づいて内部記憶媒体２５に記憶された試聴曲からユーザの嗜好に合った試聴曲を含む番組が生成され、この番組に従って試聴曲を含むコンテンツが提供されるので、ユーザは従来のように大量の試聴曲の中からユーザが試聴したい試聴曲を選択することなく試聴曲を気軽に試聴することができ、ユーザによる試聴曲購入の促進を図ることができる。
【０１０９】
本実施形態におけるナビゲーション装置１は、再生した試聴曲を試聴履歴として保存しておき、この試聴履歴を表示する試聴履歴表示機能を備えている。次に、図１２を参照して、制御回路２４による試聴履歴表示処理について説明する。制御回路２４は、操作スイッチ群１７あるいはリモコンセンサ２９からユーザの操作に応じてコンテンツ再生を指示する信号が入力されると、図８（ａ）に示すようなコンテンツ再生の表示画面を表示させる。
【０１１０】
そして、この表示画面に表示された「試聴履歴」がユーザにより選択操作されると、試聴履歴表示要求が入力されたことを検出し（Ｓ８００）、次に、試聴履歴が保存された試聴履歴から過去に再生された試聴曲の試聴履歴を取得する（Ｓ８０２）。
【０１１１】
次に、取得した試聴履歴を表示画面に表示させる（Ｓ８０４）。具体的には、図８（ｄ）に示したような試聴曲の再生操作のための「試聴曲再生」と試聴曲の購入操作のための「試聴曲購入」を含む試聴履歴の表示画面を表示させる。
【０１１２】
次に、ユーザによる「試聴曲再生」または「試聴曲購入」のいずれかの操作があるか否かを判定する（Ｓ８０６）。
【０１１３】
ユーザによって表示画面に表示された試聴曲の中から特定の試聴曲が選択された後、「試聴曲再生」が選択操作されると、Ｓ８０６において「試聴曲再生」の操作があったと判定され、試聴曲を再生させるとともに試聴曲再生の表示画面（図示せず）を表示させ（Ｓ８０８）、本処理を終了する。
【０１１４】
また、ユーザによって表示画面に表示された試聴曲の中から特定の試聴曲が選択された後、「試聴購入」が選択操作されると、Ｓ８０６において「試聴購入」の操作があったと判定され、次に、試聴曲購入の表示画面（図示せず）を表示させ（Ｓ８１０）、本処理を終了する。
【０１１５】
上記した構成によれば、ナビゲーション装置１は、過去に再生した試聴曲が記憶された試聴履歴を表示するので、従来のように過去に試聴した試聴曲を最初から探し出す操作を行うことなく、過去の試聴した試聴曲を容易に探し出すことができる。
【０１１６】
なお、試聴曲購入の表示画面に従って操作することにより、ネットワークを介して接続されたセンタから音楽を視聴するためのライセンスキーを取得し、購入操作を行った音楽を何度でも聞くことが可能となる。
【０１１７】
なお、上記実施形態における構成と特許請求の範囲の構成との対応関係について説明すると、内部記憶媒体２５が記憶手段に相当し、Ｓ７３０の処理が番組生成手段に相当し、Ｓ７３２の処理が番組提供手段に相当し、Ｓ７３４の処理が試聴履歴記憶手段に相当し、Ｓ７１４の処理が検索手段に相当し、Ｓ７１８の処理が第１の判定手段に相当し、Ｓ７２０の処理が第２の判定手段に相当し、Ｓ８０４の処理が試聴履歴表示手段に相当し、図８（ｄ）に「試聴曲再生」として表示された操作スイッチが試聴曲再生指示手段に相当し、図８（ｄ）に「試聴曲購入」として表示された操作スイッチが試聴購入指示手段に相当する。
【０１１８】
なお、本発明は上記実施形態に限定されるものではなく、本発明の趣旨に基づいて種々なる形態で実施することができる。
【０１１９】
例えば、上記実施形態では、ナビゲーション装置１を用いて車載情報提供装置を構成した例を示したが、パーソナルコンピュータ（ＰＣ）や携帯端末などを用いて車載情報提供装置を構成してもよい。
【０１２０】
また、上記実施形態では、試聴回数に制限が設けられた試聴曲を含む番組を生成し再生する例を示したが、例えば、試聴期間に制限が設けられた試聴曲を含む番組を生成し再生する場合に適用してもよい。
【０１２１】
また、上記実施形態では、Ｓ７０４で検索された試聴曲が、Ｓ７０６において過去の試聴回数が最小であると判定され、かつ、Ｓ７０８において過去の試聴回数が試聴制限の回数から１を差し引いた回数未満であると判定された場合に、この試聴曲を含む番組を生成する例を示したが、Ｓ７０４で検索された試聴曲が、Ｓ７０６とＳ７０８のいずれか一方で肯定判定された場合に、この試聴曲を含む番組を生成してもよい。
【０１２２】
また、上記実施形態では、Ｓ７０８およびＳ７１８の処理において、試聴回数がＮ−１回未満か否かを判定する例を示したが、例えば、試聴回数がＮ回未満か否かを判定するようにしてもよく、試聴回数がＮ−２回未満か否かを判定するようにしてもよい。
【０１２３】
また、上記実施形態では、Ｓ７３０において、番組取得対象を試聴曲のみに設定するフラグがオフに設定されている場合に、再生中の曲と曲の間にＣＭ（コマーシャルメッセージ）のように試聴曲を織り交ぜて再生する番組を生成する例を示したが、例えば、交通情報、天気情報、テレビ番組、ラジオ番組等の各種コンテンツの間にＣＭのように試聴曲を織り交ぜて再生する番組を生成してもよい。
【０１２４】
また、上記実施形態では車載情報提供装置として、試聴回数に制限が設けられた試聴曲が内部記憶媒体２５に記憶された場合の例を示したが、例えば、試聴曲の試聴可能な総曲数が制限される場合や、試聴した曲が一定期間（例えば、３日間）を経過すると制限される場合など、各種試聴制限が設けられた場合に適用してもよい。
【０１２５】
また、上記実施形態では車載情報提供装置として、試聴回数に制限が設けられた試聴曲が内部記憶媒体２５に記憶された場合の例を示したが、例えば、インターネットなどのネットワークから音楽データを取得して試聴する場合に適用することもできる。このような場合においても、例えば、インターネットなどのネットワークから音楽データ（例えば、ＭＰ３フォーマットの音楽データ）をダウンロードする場合には試聴制限が設けられ、ストリーミングで再生する場合には試聴制限が設けられないといったように、様々な形態で試聴制限が設けられることが考えられるが、各種試聴制限が設けられた場合に適用してもよい。
【図面の簡単な説明】
【０１２６】
【図１】本発明に係る車載情報提供装置の全体構成を示す図である。
【図２】行動パターン情報Ａとユーザ嗜好情報Ｂについての説明図である。
【図３】制御回路によるユーザ嗜好の学習機能についての説明図である。
【図４】制御回路によるテンプレートの更新処理を示す図である。
【図５】制御回路による番組生成処理を示す図である。
【図６】シーン判定処理のフローチャートの一例を示す図である。
【図７】番組生成処理によって生成されたタイムテーブルの一例を示す図である。
【図８】（ａ）は、通常モードのコンテンツ再生時の表示画面の表示例、（ｂ）は、試聴モードのコンテンツ再生時の表示画面の表示例、（ｃ）は、コンテンツ設定画面の表示例、（ｄ）は、試聴履歴の表示画面の表示例を示す図である。
【図９】制御回路による試聴曲を含めた番組生成処理を示す図である。
【図１０】試聴曲提供方法判定処理のフローチャートである。
【図１１】試聴曲データ取得方法判定処理のフローチャートである。
【図１２】制御回路による試聴履歴表示処理を示す図である。
【符号の説明】
【０１２７】
１…ナビゲーション装置、１１…位置検出部、１２…地磁気センサ、
１３…ジャイロスコープ、１４…距離センサ、１５…ＧＰＳ受信機、
１７…操作スイッチ群、１８…ＴＶチューナ、１９…ＦＭ・ＡＭチューナ、
２０…ＣＤドライブ、２１…ＤＶＤドライブ、２２…ＭＤドライブ、
２３…外部オーディオインタフェース、２４…制御回路、２５…内部記憶媒体、
２６…表示部、２７…音声出力部、２８…外部情報入出力部、２９…リモコンセンサ、
２９ａ…リモコン。 
【図１】
2007080386.tif 000003
【図２】
2007080386.tif 000004
【図３】
2007080386.tif 000005
【図４】
2007080386.tif 000006
【図５】
2007080386.tif 000007
【図６】
2007080386.tif 000008
【図７】
2007080386.tif 000009
【図８】
2007080386.tif 000010
【図９】
2007080386.tif 000011
【図１０】
2007080386.tif 000012
【図１１】
2007080386.tif 000013
【図１２】
2007080386.tif 000014